(57)【要約】【課題】通信部に過電流が流れることを抑制できる、通信装置を提供する。【解決手段】第２接続線Ｗ２１における外付電話接続端子２２とＤＣループ検出部８１との間の接続点Ｎ３１と、第１接続線Ｗ１２における回線接続端子２１と接続点Ｎ１２との間の接続点Ｎ４１との間は、第３接続線Ｗ３１を介して接続されている。また、第２接続線Ｗ２１，Ｗ２２には、第１スイッチＳＷ１が設けられ、第３接続線Ｗ３１には、第２スイッチＳＷ２が設けられている。ＤＡＡ４２が第１接続線Ｗ１１，Ｗ１２間の閉結前に、第１スイッチＳＷ１によって第２接続線Ｗ２１，Ｗ２２を導通させ、第２スイッチＳＷ２によって第３接続線Ｗ３１を導通させた際にＤＣループ検出部８１により検出される電流が過電流であることを示した場合、ＤＡＡ４２に第１接続線Ｗ１１，Ｗ１２間を閉結させない。【選択図】図２
2018191179.tif 000002
【特許請求の範囲】
【請求項１】
電話回線と接続可能な２つの端子を有する回線接続端子と、
前記回線接続端子の前記２つの端子の各端子と一対の第１接続線を介して接続され、前記一対の第１接続線間の閉結および開放を切り替える通信部と、
前記一対の第１接続線のそれぞれにおける前記回線接続端子と前記通信部との間の第１接続点と一対の第２接続線を介して接続され、外付電話と接続可能な２つの端子を有する外付電話接続端子と、
前記一対の第２接続線のうちの一方の第２接続線に設けられ、前記一方の第２接続線に流れる電流を検出する電流検出部と、
少なくとも前記一対の第２接続線に設けられ、前記一対の第２接続線における導通および切断を切り替える第１スイッチと、
前記一方の第２接続線における前記外付電話接続端子と前記電流検出部との間の第２接続点と前記一対の第１接続線のうち前記一方の第２接続線に接続されていない第１接続線における前記回線接続端子と前記第１接続点との間の第３接続点とを接続する第３接続線に設けられ、前記第３接続線における導通および切断を切り替える第２スイッチと、
制御部と
を備え、
前記制御部は、
前記第１スイッチに前記一対の第２接続線を導通するように指示し、前記第２スイッチに前記第３接続線を導通するように指示し、当該指示に応じて前記第１スイッチは前記一対の第２接続線を導通、前記第２スイッチが前記第３接続線を導通した際に、前記電流検出部により検出される電流が所定値以上の過電流であることを示す場合、前記通信部に前記一対の第１接続線間を閉結させず、前記電流検出部により検出される電流が過電流であることを示さない場合、前記第２スイッチが前記第３接続線を切断した状態で、前記通信部に前記一対の第１接続線間を閉結可能にさせる、
通信装置。
【請求項２】
請求項１に記載の通信装置であって、
前記電流検出部は、
前記一方の第２接続線に介在され、正温度特性サーミスタおよびバリスタを並列に接続した並列回路と、
前記正温度特性サーミスタを電流が流れている状態で所定電圧未満の第１電圧を前記制御部に出力し、前記正温度特性サーミスタを電流が流れない状態で前記所定電圧以上の第２電圧を前記制御部に出力する信号出力回路とを含む、
通信装置。
【請求項３】
請求項２に記載の通信装置であって、
前記回線接続端子の２つの端子間における回線電圧の有無を検出する回線電圧検出部を備え、
前記記憶部には、フラグが設けられており、
前記制御部は、
前記回線電圧検出部が回線電圧ありを検出している場合において、
前記第１スイッチが前記一対の第２接続線を導通させている状態で、前記第２スイッチが前記第３接続線を導通させてからの所定時間、前記信号出力回路から前記第１電圧が出力されている場合、前記フラグをオンし、
前記第１スイッチが前記一対の第２接続線を導通させている状態で、前記第２スイッチが前記第３接続線を導通させた際に、前記信号出力回路の出力信号が前記第１電圧から前記第２電圧に切り替わった場合、前記第２スイッチにより前記第３接続線を切断させ、前記フラグをオフにする、チェック処理を実行し、
前記チェック処理で前記フラグをオンである場合、前記通信部に前記一対の第１接続線間を閉結可能にする、
通信装置。
【請求項４】
請求項３に記載の通信装置であって、
前記制御部は、
前記フラグがオンの状態で前記回線電圧検出部が回線電圧なしを検出したことに応じて前記フラグをオフにし、その後、前記回線電圧検出部が回線電圧ありを再び検出したことに応じて前記チェック処理を実行する、
通信装置。
【請求項５】
請求項３または４に記載の通信装置であって、
前記制御部は、
前記チェック処理で前記フラグをオフにした場合、前記回線電圧検出部が回線電圧なしを一旦検出した後に前記回線電圧検出部が回線電圧ありを検出するまで、前記チェック処理を実行しない、
通信装置。
【請求項６】
請求項１〜５のいずれか一項に記載の通信装置であって、
前記第３接続線における前記電流検出部と前記第２スイッチとの間に、通信規格に基づいた抵抗値を有する抵抗が介在されている、
通信装置。
【請求項７】
請求項３〜６のいずれか一項に記載の通信装置であって、
前記制御部は、
前記記憶部に前記フラグがオンである場合、ファックス通信による画像データの送信の命令、または、前記通信部による呼出信号を受信したことに応じて、前記第２スイッチが前記第３接続線を切断した状態で前記通信部に前記一対の第１接続線間の閉結を指示し、
前記記憶部に前記フラグがオフである場合、前記通信部に前記一対の第１接続線間の閉結を指示しない、
通信装置。
【発明の詳細な説明】
【技術分野】
【０００１】
本発明は、通信装置に関する。
【背景技術】
【０００２】
従来、電話回線に接続されるＤＡＡ（Data Access Arrangement／データアクセスアレンジメント）と、ＤＡＡとトランスを介して接続され、ＤＡＡが送信するデータを変調およびＤＡＡが受信するデータを復調するモデム部とを含む通信部を有する通信装置が知られている。
【０００３】
この通信装置の電話回線が接続される回線接続端子に、通信規格外の大電流を流す信号線、たとえば、ＰＢＸ（Private Branch eXchange／構内交換機）やビジネスフォンの主装置の信号線が誤って接続される場合がある。この場合、ＦＡＸデータの送受信のため、通信部が電話回線を閉結した段階で、通信部に過電流が流れて、通信部が過電流によるダメージを受けるおそれがある。そのため、特許文献１では、通信部の一部であるＤＡＡを用いて電話回線の電圧または電流を検出して、当該電圧または電流が過大であることを示す閾値を超えると、電話回線を閉回路から開回路へ移行することにより、通信装置に過電流が流れ続けることを回避する技術が提案されている。
【先行技術文献】
【特許文献】
【０００４】
【特許文献１】特開２０１３−２１１７９１号公報
【発明の概要】
【発明が解決しようとする課題】
【０００５】
しかしながら、その提案に係る技術では、電話回線を閉結した段階で通信部に過電流が流れるため、通信部に過電流が流れること自体を抑制することはできない。
【０００６】
本発明の目的は、通信部に過電流が流れることを抑制できる、通信装置を提供することである。
【課題を解決するための手段】
【０００７】
前記の目的を達成するため、本発明に係る通信装置は、電話回線と接続可能な２つの端子を有する回線接続端子と、回線接続端子の２つの端子の各端子と一対の第１接続線を介して接続され、一対の第１接続線間の閉結および開放を切り替える通信部と、一対の第１接続線のそれぞれにおける回線接続端子と通信部との間の第１接続点と一対の第２接続線を介して接続され、外付電話と接続可能な２つの端子を有する外付電話接続端子と、一対の第２接続線のうちの一方の第２接続線に設けられ、一方の第２接続線に流れる電流を検出する電流検出部と、少なくとも一対の第２接続線に設けられ、一対の第２接続線における導通および切断を切り替える第１スイッチと、一方の第２接続線における外付電話接続端子と電流検出部との間の第２接続点と一対の第１接続線のうち一方の第２接続線に接続されていない第１接続線における回線接続端子と第１接続点との間の第３接続点とを接続する第３接続線に設けられ、第３接続線における導通および切断を切り替える第２スイッチと、制御部とを備え、制御部は、第１スイッチに一対の第２接続線を導通するように指示し、第２スイッチに第３接続線を導通するように指示し、当該指示に応じて第１スイッチは一対の第２接続線を導通、第２スイッチが第３接続線を導通した際に、電流検出部により検出される電流が所定値以上の過電流であることを示す場合、通信部に一対の第１接続線間を閉結させず、電流検出部により検出される電流が過電流であることを示さない場合、第２スイッチに第３接続線を切断した状態で、通信部に一対の第１接続線間を閉結可能にさせる。
【０００８】
この構成によれば、一方の第２接続線における外付電話接続端子と電流検出部との間と、一対の第１接続線のうちの一方の第２接続線に接続されていない第１接続線における回線接続端子と第１接続点との間は、第３接続線を介して接続されている。また、一対の第２接続線には、一対の第２接続線の導通および切断を切り替える第１スイッチが設けられ、第３接続線には、第３接続線の導通および切断を切り替える第２スイッチが設けられている。
【０００９】
回線接続端子にＰＢＸやビジネスフォンの主装置の信号線が誤って接続された状態で、ＦＡＸデータの送受信のため、一対の第１接続線間が閉結されると、ＰＢＸやビジネスフォンの主装置と通信部との間に閉回路が形成されることによって通信部に過電流が流れる場合がある。すると、通信部が過電流によるダメージを受けるおそれがある。通信部が一対の第１接続線間の閉結前に、第１スイッチによって一対の第２接続線を導通させ、第２スイッチによって第３接続線を導通させると、ＰＢＸやビジネスフォンの主装置との間で通信部を経由しない閉回路が形成される。その際に電流検出部により検出される電流が過電流であることを示した場合、制御部は、通信部に一対の第１接続線間を閉結させない。これにより、通信部に過電流が流れることを抑制できる。
【００１０】
一方、第１スイッチが一対の第２接続線を導通させ、第２スイッチが第３接続線を導通させた際に電流検出部により検出される電流が過電流であることを示さない場合、一対の第１接続線間が閉結される。一対の第１接続線間が閉結されることにより、通信部による電話回線を介したデータの送受信が可能となる。
【発明の効果】
【００１１】
本発明によれば、通信部に過電流が流れることを抑制できる。
【図面の簡単な説明】
【００１２】
【図１】本発明の一実施形態に係るＭＦＰの全体構成を示すブロック図である。
【図２】ＦＡＸ通信部の構成を示す図である。
【図３】ＤＣループ検出部の構成示す回路図である。
【図４】ＤＣループ検出部の出力信号の時間変化を示す図である。
【図５】メイン処理の流れを示すフローチャートである。
【図６】チェック処理の流れを示すフローチャートである。
【図７】ＦＡＸ送受信処理の流れを示すフローチャートである。
【発明を実施するための形態】
【００１３】
以下では、本発明の実施の形態について、添付図面を参照しつつ詳細に説明する。
【００１４】
＜全体構成＞
図１に示されるＭＦＰ（Multi-Function Peripheral）１は、通信装置の一例であり、プリント機能、スキャン機能およびファックス機能などの複数の機能を有している。ＭＦＰ１は、画像形成部１１、画像読取部１２、ＦＡＸ通信部１３、表示部１４、操作部１５、電源部１６、ＬＡＮインタフェース（Ｉ／Ｆ）１７およびＵＳＢインタフェース（Ｉ／Ｆ）１８を備えている。
【００１５】
画像形成部１１は、ＭＦＰ１内の搬送路を１枚ずつ搬送されるシートに対して画像データに係る画像（カラー画像またはモノクロ画像）を形成する。画像形成の方式は、電子写真方式であってもよいし、インクジェット方式であってもよい。
【００１６】
画像読取部１２は、シートに形成された画像を読み取り、画像データを出力する。画像読取の方式は、たとえば、ＣＩＳ（Contact Image Sensor）方式である。
【００１７】
ＦＡＸ通信部１３は、回線接続端子２１および外付電話接続端子２２に接続される。回線接続端子２１には、電話回線２３（図２参照）が接続される。ＦＡＸ通信部１３は、電話回線２３を介して交換機に接続されることにより、相手先のファックス装置から画像データを受信可能となり、また、相手先のファックス装置に対して画像データを送信可能となる。また、外付電話接続端子２２には、外付電話２４（図２参照）が接続される。外付電話２４は、電話回線２３を介して交換機に接続され、相手先の電話機と音声信号のやり取りを行うことができる。
【００１８】
表示部１４は、たとえば、液晶表示器からなる。表示部１４には、各種の情報が表示される。
【００１９】
操作部１５は、操作キー（たとえば、スタートキー、テンキー、カーソルキー、戻るキー）を備えている。操作キーの操作により、各種の指示などを操作部１５に入力することが可能である。なお、操作部１５は、表示部１４に一体的に設けられるタッチキーであってもよい。
【００２０】
電源部１６は、商用交流電源に接続されて、商用交流電源から供給される電力を各部に適した電力に変換して各部に供給する。
【００２１】
ＬＡＮインタフェース１７は、外部機器（図示せず）とのＬＡＮ（Local Area Network）接続のためのインタフェースである。ＬＡＮインタフェース１７には、ＬＡＮケーブルを接続可能な端子（図示せず）が設けられている。ＬＡＮインタフェース１７は、その端子に接続されたＬＡＮケーブルを介してＬＡＮに接続され、ＬＡＮに接続された外部機器との間で画像データや制御命令などを送受信する。
【００２２】
ＵＳＢインタフェース１８は、ＵＳＢメモリやコンピュータなどの外部機器（図示せず）とのＵＳＢ接続のためのインタフェースである。ＵＳＢインタフェース１８には、ＵＳＢ端子が設けられている。ＵＳＢインタフェース１８は、ＵＳＢ端子に接続された外部機器との間で画像データや制御命令などを送受信する。
【００２３】
また、ＭＦＰ１は、ＡＳＩＣ（Application Specific Integrated Circuit）３１、ＲＯＭ３２およびＲＡＭ３３（記憶部の一例）を備えている。ＡＳＩＣ３１には、画像形成部１１、画像読取部１２、ＦＡＸ通信部１３、表示部１４、操作部１５、電源部１６、ＬＡＮインタフェース１７、ＵＳＢインタフェース１８、ＲＯＭ３２およびＲＡＭ３３が電気的に接続されている。
【００２４】
ＡＳＩＣ３１は、ＣＰＵ３４を内蔵している。ＣＰＵ３４は、ＡＳＩＣ３１に入力される情報に基づいて、各種の処理のためのプログラムを実行することにより、画像形成部１１、画像読取部１２およびＦＡＸ通信部１３などの各部を制御する。
【００２５】
ＲＯＭ３２には、ＣＰＵ３４によって実行されるプログラムおよび各種のデータなどが記憶されている。
【００２６】
ＲＡＭ３３は、ＣＰＵ３４がプログラムを実行する際のワークエリアとして使用される。また、ＲＡＭ３３には、画像形成部１１によりシートに形成される画像の画像データ、画像読取部１２により読み取られた画像データ、ならびにＦＡＸ通信部１３、ＬＡＮインタフェース１７およびＵＳＢインタフェース１８が受信した画像データなどが一時的に記憶される。
【００２７】
＜ＦＡＸ通信部＞
ＦＡＸ通信部１３（通信部の一例）は、図２に示されるように、ＤＣループ４１と、ＤＡＡ（Data Access Arrangement／データアクセスアレンジメント）４２と、ＤＡＡ４２とトランス４３を介して接続されるモデム４４とを備えている。
【００２８】
ＦＡＸ通信部１３と電気的に接続される回線接続端子２１には、一対の第１接続線Ｗ１１，Ｗ１２が接続されている。具体的には、回線接続端子２１は、モジュラジャックであり、電話回線２３と接続可能な２つの端子２１Ａ，２１Ｂを有している。端子２１Ａには、一方の第１接続線Ｗ１１の一端が接続されている。端子２１Ｂには、他方の第１接続線Ｗ１２の一端が接続されている。
【００２９】
また、ＦＡＸ通信部１３と電気的に接続される外付電話接続端子２２には、一対の第２接続線Ｗ２１，Ｗ２２が接続されている。具体的には、外付電話接続端子２２は、モジュラジャックであり、外付電話２４から延びるモジュラケーブルと接続可能な２つの端子２２Ａ，２２Ｂを有している。端子２２Ａには、一方の第２接続線Ｗ２１の一端が接続されている。第２接続線Ｗ２１の他端は、第１接続線Ｗ１１上の接続点Ｎ１１（第１接続点の一例）において、第１接続線Ｗ１１に接続されている。端子２２Ｂには、他方の第２接続線Ｗ２２の一端が接続されている。第２接続線Ｗ２２の他端は、第１接続線Ｗ１２上の接続点Ｎ１２（第１接続点の一例）において、第１接続線Ｗ１２に接続されている。
【００３０】
ＤＣループ４１は、第１接続線Ｗ１１上における接続点Ｎ１１よりも回線接続端子２１から遠い位置に設けられた接続点Ｎ２１と、第１接続線Ｗ１２上における接続点Ｎ１２よりも回線接続端子２１から遠い位置に設けられた接続点Ｎ２２とに接続されている。ＤＣループ４１は、接続点Ｎ２１と接続点Ｎ２２との間にスイッチ（図示せず）を備えている。ＤＣループ４１のスイッチがオンの状態で、一対の第１接続線Ｗ１１，Ｗ１２間が閉結され、電話回線２３に接続されている交換機とＤＣループ４１との間で閉回路が形成される。ＤＣループ４１のスイッチがオフの状態で、一対の第１接続線Ｗ１１，Ｗ１２間が開放される。
【００３１】
ＤＡＡ４２は、回線電圧検出部５１、呼出信号検出部５２、閉結制御部５３、受信部５４、送信部５５およびレジスタ５６を備えている。
【００３２】
回線電圧検出部５１は、一対の第１接続線Ｗ１１，Ｗ１２間の電圧（電位差）を検出する。回線電圧検出部５１は、その検出した電圧値をレジスタ５６に書き込む。
【００３３】
相手先のファックス装置からの着信の際には、交換機から電話回線２３に呼出信号が送出される。呼出信号は、回線電圧（４８Ｖ）に変動成分が重畳される期間とその変動成分が重畳されない期間とが交互に繰り返される信号である。呼出信号検出部５２は、ＤＣループ４１のスイッチがオフであり、一対の第１接続線Ｗ１１，Ｗ１２間が開放された状態で、交換機から電話回線２３に送出される呼出信号を検出する。呼出信号検出部５２は、呼出信号を検出すると、呼出信号を検出したことをレジスタ５６に書き込む。
【００３４】
閉結制御部５３は、ＤＣループ４１のスイッチをオンおよびオフを切り替えることにより、一対の第１接続線Ｗ１１，Ｗ１２間の開放および閉結を制御する。
【００３５】
受信部５４は、ＤＣループ４１のスイッチがオンであり、一対の第１接続線Ｗ１１，Ｗ１２間が閉結されている状態で、相手先のファックス装置から送信される画像データなどの各種ＦＡＸ信号（呼出信号を除く）を受信する。
【００３６】
送信部５５は、ＤＣループ４１のスイッチがオンであり、一対の第１接続線Ｗ１１，Ｗ１２間が閉結されている状態で、相手先のファックス装置に相手先のファックス装置から送信される画像データなどの各種ＦＡＸ信号（呼出信号を除く）を送信する。
【００３７】
モデム４４は、ＣＰＵ６１およびレジスタ６２を備えている。モデム４４は、ＤＡＡ４２からトランス４３を介してアナログ信号を受け取り、そのアナログ信号をデジタル信号に変換（復調）してＡＳＩＣ３１に入力する。また、モデム４４は、ＡＳＩＣ３１から受け取るデジタル信号をアナログ信号に変換（変調）し、そのアナログ信号をトランス４３を介してＤＡＡ４２に送信する。
【００３８】
また、一対の第１接続線Ｗ１１，Ｗ１２間には、接続点Ｎ１１，Ｎ１２よりも回線接続端子２１側の位置に、サージ保護素子７１が設けられている。また、第１接続線Ｗ１２とグランドＧＮＤとの間には、接続点Ｎ１２よりも回線接続端子２１側の位置に、サージ保護素子７２が設けられている。サージ保護素子７１，７２は、回線接続端子２１に入力される雷サージからＤＡＡ４２などを保護するために設けられている。サージ保護素子７１，７２には、たとえば、透明なガラス管にガスが封入されたガスアレスタが用いられ、第１接続線Ｗ１１，Ｗ１２間に３００Ｖを超える電圧が加わると、サージ保護素子７１が短絡し、第１接続線Ｗ１２とグランドとの間に３０００Ｖを超える電圧が加わると、サージ保護素子７２が短絡する。
【００３９】
一対の第２接続線Ｗ２１，Ｗ２２には、一対の第１スイッチＳＷ１が設けられている。一対の第１スイッチＳＷ１は、第２接続線Ｗ２１の導通および切断を切り替えるスイッチと、第２接続線Ｗ２２の導通および切断を切り替えるスイッチとからなり、その２個のスイッチは、第２接続線Ｗ２１，Ｗ２２の導通および切断を同時に切り替えるようオンおよびオフする。
【００４０】
一方の第２接続線Ｗ２１における第１スイッチＳＷ１と外付電話接続端子２２（端子２２Ａ）との間には、ＤＣループ検出部８１（電流検出部の一例）が設けられている。
【００４１】
ＤＣループ検出部８１は、図３に示されるように、正温度特性サーミスタ８２およびバリスタ８３を並列に接続した並列回路８４と、フォトカプラ８５とからなる。
【００４２】
正温度特性サーミスタ８２は、キュリー温度未満の温度範囲でほぼ一定の抵抗値を有し、キュリー温度を超えると急激に抵抗値が上昇する正温度特性を有する電子部品である。
【００４３】
バリスタ８３は、両端間の電圧が低いときに高い抵抗値を有し、両端間の電圧が所定以上に上昇すると抵抗値が急激に低下する性質を有する電子部品である。
【００４４】
フォトカプラ８５（信号出力回路の一例）は、正温度特性サーミスタ８２と直列に接続されたフォトダイオード８６と、受光部８７とからなる。受光部８７は、ＡＳＩＣ３１と信号線８９を介して接続されている。信号線８９は、受光部８７が導通していない場合、電源Ｖｃｃによって、所定電圧が加わる。ＡＳＩＣ３１は、内部回路で所定電圧（第２電圧の一例）が予め定められた閾値以上であることを検知し、ハイ信号を検出する。
【００４５】
また、フォトダイオード８６に所定以上の電流が流れると、フォトダイオード８６が発光し、それにより受光部８７が光を受光し、導通する。すると、抵抗Ｒに電流が流れ、電圧降下によって信号線８９には、所定電圧から抵抗Ｒに電流が流れたことによる電圧降下分差し引いた値の電圧（第１電圧の一例）が加わる。ＡＳＩＣ３１は、内部回路で所定電圧の電圧降下分差し引いた値の電圧が閾値未満であることを検知し、結果、ロー信号を検出する。
【００４６】
また、一方の第２接続線Ｗ２１には、外付電話接続端子２２（端子２２Ａ）とＤＣループ検出部８１との間の接続点Ｎ３１（第２接続点の一例）において、第３接続線Ｗ３１の一端が接続されている。第３接続線Ｗ３１の他端は、第２接続線Ｗ２１が接続されていない第１接続線Ｗ１２における回線接続端子２１（端子２１Ｂ）と接続点Ｎ１２との間の接続点Ｎ４１（第３接続点の一例）に接続されている。
【００４７】
第３接続線Ｗ３１には、第３接続線Ｗ３１の導通および切断を切り替える第２スイッチＳＷ２と、通信規格に基づいた抵抗値を有する抵抗Ｒとが設けられている。
【００４８】
回線接続端子２１に電話回線２３が接続され、第１スイッチＳＷ１のオンにより一対の第２接続線Ｗ２が導通し、第２スイッチＳＷ２のオフにより第３接続線Ｗ３１が切断された状態において、外付電話２４の受話器がオンフックされているときには、電話回線２３に接続されている交換機と外付電話２４との間で閉回路が形成されない。外付電話２４の受話器がオフフックされると、交換機と外付電話２４との間で閉回路が形成され、外付電話２４と相手先の電話機との間で交換機を介して音声信号を送受することができる。
【００４９】
また、回線接続端子２１に電話回線２３（通常回線）が接続されている状態で、第１スイッチＳＷ１のオンにより一対の第２接続線Ｗ２が導通し、第２スイッチＳＷ２のオンにより第３接続線Ｗ３１が導通すると、電話回線２３に接続されている交換機と第１接続線Ｗ１１，Ｗ１２、第２接続線Ｗ２１および第３接続線Ｗ３１からなる回路とを含む閉回路が形成される。このとき、回線電圧による電流がＤＣループ検出部８１の正温度特性サーミスタ８２およびフォトカプラ８５の直列回路を流れ、受光部８７が光を受光し導通すると、図４（ａ）に示されるように、ＡＳＩＣ３１がロー信号を検出する。回線電圧による電流では正温度特性サーミスタ８２の温度がキュリー点まで上がらず、また、バリスタ８３が高い抵抗値を有するため、電流が正温度特性サーミスタ８２およびフォトカプラ８５の直列回路を流れ続け、ＡＳＩＣ３１がロー信号の検出を継続する。
【００５０】
回線接続端子２１にＰＢＸやビジネスフォンの主装置などの信号線（過電流回線）が誤って接続された場合に、第１スイッチＳＷ１のオンにより一対の第２接続線Ｗ２が導通し、第２スイッチＳＷ２のオンにより第３接続線Ｗ３１が導通すると、その過電流回線、第１接続線Ｗ１１，Ｗ１２、第２接続線Ｗ２１および第３接続線Ｗ３１を含む閉回路が形成される。このとき、通信規格外の過電流がＤＣループ検出部８１の正温度特性サーミスタ８２およびフォトダイオード８６の直列回路を流れ、図４（ｂ）に示されるように、ＤＣループ検出部８１の受光部８７の信号線８９に所定電圧Ｖｃｃから電圧降下分差し引いた値の電圧が印加される。そして、ＡＳＩＣ３１は、その印加された電圧を検出し、ロー信号を検出する。その後、過電流による抵抗熱で正温度特性サーミスタ８２の温度がキュリー点を超え、正温度特性サーミスタ８２の抵抗値が高くなることで正温度特性サーミスタ８２に生じる電圧値がバリスタ８３の反応電圧を超え、次第にフォトダイオード８６に電流が流れなくなることで、バリスタ８３に過電流が流れ、ＡＳＩＣ３１が検出する信号がロー信号からハイ信号に切り替わる。
【００５１】
なお、回線接続端子２１に電話回線２３などの何らの回線も接続されていない状態では、正温度特性サーミスタ８２およびフォトダイオード８６の直列回路を電流が流れないので、図４（ｃ）に示されるように、ＡＳＩＣ３１が検出する信号はハイ信号である。
【００５２】
これにより、ＡＳＩＣ３１のＣＰＵ３４は、第１スイッチＳＷ１がオンの状態で第２スイッチＳＷ２がオンにされてから所定時間が経過した時点で、ＡＳＩＣ３１がロー信号を検出している場合、回線接続端子２１に電話回線２３が接続されていると判断することができる。また、第１スイッチＳＷ１がオンの状態で第２スイッチＳＷ２がオンにされてから所定時間が経過する前に、ＡＳＩＣ３１によって検出される信号がロー信号からハイ信号に切り替わった場合、回線接続端子２１に電話回線２３ではない通信規格外の過電流回線が接続されていると判断することができる。
【００５３】
＜メイン処理＞
ＡＳＩＣ３１のＣＰＵ３４は、図５に示されるメイン処理を実行する。
【００５４】
メイン処理の実行により、ＣＰＵ３４は、ＤＡＡ４２に対して回線電圧検出部５１による回線電圧の検出の開始を指示する（Ｓ１１）。この指示を受けて、回線電圧検出部５１により一対の第１接続線Ｗ１１，Ｗ１２間の電圧（回線電圧）が一定周期で検出され、その検出された電圧値がレジスタ５６に書き込まれる。モデム４４のＣＰＵ６１は、レジスタ５６に書き込まれた電圧値を読み取り、その電圧値をレジスタ６２に書き込む。ＣＰＵ３４は、レジスタ６２に書き込まれた電圧値を読み取る。
【００５５】
回線電圧検出部５１により検出された電圧値が０である場合、言い換えれば、回線電圧検出部５１により回線電圧なしが検出されている場合（Ｓ１２：ＮＯ）、ＣＰＵ３４は、電話回線２３が回線接続端子２１に接続されてない旨を表示部１４に表示する（Ｓ１３）。その後、ＣＰＵ３４は、回線電圧検出部５１により回線電圧ありが検出されているか否かを再び判別する（Ｓ１２）。
【００５６】
回線電圧検出部５１により検出された電圧値が０でない場合、言い換えれば、回線電圧検出部５１により回線電圧ありが検出されている場合（Ｓ１２：ＹＥＳ）、ＣＰＵ３４は、チェック処理を実行する（Ｓ１４）。
【００５７】
＜チェック処理＞
チェック処理の流れは、図６に示されている。
【００５８】
チェック処理では、ＣＰＵ３４は、第１スイッチＳＷ１がオンの状態で第２スイッチＳＷ２をオンする（Ｓ１４１）。
【００５９】
第２スイッチＳＷ２をオンした後、ＣＰＵ３４は、ＤＣループ検出部８１のフォトカプラ８５から出力される検出信号（ハイ信号、ロー信号）を受信する（Ｓ１４２）。
【００６０】
チェック処理の開始前に回線電圧検出部５１により回線電圧ありが検出されているので、前述したように、第２スイッチＳＷ２をオンにした直後は、フォトカプラ８５からロー信号が出力される。
【００６１】
回線接続端子２１に電話回線２３が接続されている場合、ＡＳＩＣ３１によるロー信号の検出が継続される。ＡＳＩＣ３１が検出する信号がロー信号からハイ信号に切り替わらずに（Ｓ１４３：ＮＯ）、第２スイッチＳＷ２をオンした時点から所定時間が経過した場合（Ｓ１４４：ＹＥＳ）、ＣＰＵ３４は、第２スイッチＳＷ２をオフする（Ｓ１４５）。そして、ＣＰＵ３４は、ＲＡＭ３３に設けられているフラグに１を記憶させて（Ｓ１４６）、チェック処理を終了し、図５に示されるメイン処理に戻る。
【００６２】
一方、回線接続端子２１に電話回線２３ではない過電流回線が接続されている場合、第２スイッチＳＷ２をオンした時点から所定時間が経過するまでの間に、ＡＳＩＣ３１が検出する信号がロー信号からハイ信号に切り替わる（Ｓ１４３：ＹＥＳ）。ＣＰＵ３４は、第２スイッチＳＷ２をオフする（Ｓ１４７）。その後、ＣＰＵ３４は、電話回線２３の接続を促すメッセージ、たとえば「正しい電話回線に再接続してください」というメッセージを表示部１４に表示させる（Ｓ１４８）。そして、ＣＰＵ３４は、ＲＡＭ３３に設けられているフラグに０を記憶させて（Ｓ１４９）、チェック処理を終了し、図５に示されるメイン処理に戻る。
【００６３】
＜メイン処理の続き＞
チェック処理の終了後、ＲＡＭ３３に設けられているフラグに０が記憶されている場合（Ｓ１５：ＮＯ）、つまりフラグがオフである場合であって、回線電圧検出部５１により検出される回線電圧が有る場合（Ｓ１６：ＮＯ）、ＣＰＵ３４は、回線電圧検出部５１により検出される回線電圧が無くなるまで待機、すなわち、通信規格外の過電流回線が非接続になるまで待機する。
【００６４】
チェック処理の終了後、ＲＡＭ３３に設けられているフラグに０が記憶されている場合であって（Ｓ１５：ＮＯ）、回線電圧検出部５１により回線電圧なしが検出されている場合（Ｓ１６：ＹＥＳ）、回線電圧検出部５１により回線電圧ありが検出されているか否かを再び判別する（Ｓ１２）。その後、ＣＰＵ３４は、回線電圧検出部５１により回線電圧ありが検出されるまでチェック処理を実行せず、回線電圧ありが検出されると、それに応じてチェック処理を再び実行する（Ｓ１４）。
【００６５】
チェック処理の終了後、ＲＡＭ３３に設けられているフラグに１が記憶されている場合（Ｓ１５：ＹＥＳ）、ＣＰＵ３４は、ファックス通信による画像データの送信の命令、または、呼出信号を受信したことに応じて（Ｓ１８：ＹＥＳ）、ＦＡＸ送受信処理を実行する（Ｓ１９）。ファックス通信による画像データの送信の命令は、操作部１５の操作により入力することができ、また、外部機器からＬＡＮ経由でＬＡＮインタフェース１７に入力することができる。呼出信号の受信は、前述したように、呼出信号検出部５２により検出される。ＦＡＸ送受信処理については、後述する。
【００６６】
ＦＡＸ送受信処理の終了後、ＭＦＰ１の電源がオンである場合（Ｓ２０：ＮＯ）、ＣＰＵ３４は、回線電圧検出部５１により検出された電圧値を確認する。また、チェック処理の終了後、ＲＡＭ３３に設けられているフラグに１が記憶されている場合であって（Ｓ１５：ＹＥＳ）、ファックス通信による画像データの送信の命令、および呼出信号を受信の両方がない場合（Ｓ１８：ＮＯ）、ＣＰＵ３４は、回線電圧検出部５１により検出された電圧値を確認する。そして、回線電圧検出部５１により回線電圧なしが検出されている場合には（Ｓ２１：ＹＥＳ）、ＣＰＵ３４は、その後に回線電圧検出部５１により回線電圧ありが検出されるまでチェック処理を実行せず、回線電圧ありが検出されると、それに応じてチェック処理を再び実行する（Ｓ１４）。
【００６７】
一方、ＦＡＸ送受信処理の終了後、ＭＦＰ１の電源がオフにされるか、または、ファックス通信による画像データの送信の命令、および呼出信号を受信の両方がないまま、ＭＦＰ１の電源がオフにされると（Ｓ２０：ＹＥＳ）、ＣＰＵ３４は、メイン処理を終了する。
【００６８】
＜ＦＡＸ送受信処理＞
メイン処理のステップＳ１９で実行されるＦＡＸ送受信処理の流れは、図７に示されている。
【００６９】
呼出信号を受信した場合（Ｓ１９０１：ＹＥＳ）、ＦＡＸ送受信処理により、ＣＰＵ３４は、スイッチＳＷ１をオフする（Ｓ１９０２）。
【００７０】
その後、ＣＰＵ３４は、モデム４４を介して、ＤＡＡ４２の閉結制御部５３に一対の第１接続線Ｗ１１，Ｗ１２間を閉結するよう指示する（Ｓ１９０３）。閉結制御部５３は、閉結の指示を受けて、ＤＣループ４１のスイッチをオンし、ＤＣループ４１と交換機との間に閉回路を形成する。
【００７１】
一対の第１接続線Ｗ１１，Ｗ１２間の閉結後、ＣＰＵ３４は、モデム４４を介して、ＤＡＡ４２の受信部５４にＦＡＸ受信の準備を指示する（Ｓ１９０４）。
【００７２】
そして、ＣＰＵ３４は、モデム４４を介して、相手先のファックス装置から送信される画像データの受信を受信部５４に指示する（Ｓ１９０５）。
【００７３】
すべての画像データを受信すると、ＣＰＵ３４は、モデム４４を介して、閉結制御部５３に一対の第１接続線Ｗ１１，Ｗ１２間の開放を指示する（Ｓ１９０６）。閉結制御部５３は、開放の指示を受けて、ＤＣループ４１のスイッチをオフし、ＤＣループ４１と交換機との間に形成されている閉回路を開放する。
【００７４】
その後、ＣＰＵ３４は、第１スイッチＳＷ１をオンにして（Ｓ１９０７）、ＦＡＸ送受信処理を終了して、メイン処理に戻る。
【００７５】
一方、ファックス通信による画像データの送信の命令が入力された場合には（Ｓ１９０１：ＮＯ）、ＦＡＸ送受信処理により、ＣＰＵ３４は、スイッチＳＷ１をオフする（Ｓ１９０８）。
【００７６】
その後、ＣＰＵ３４は、モデム４４を介して、ＤＡＡ４２の閉結制御部５３に一対の第１接続線Ｗ１１，Ｗ１２間を閉結するよう指示する（Ｓ１９０９）。閉結制御部５３は、閉結の指示を受けて、ＤＣループ４１のスイッチをオンし、ＤＣループ４１と交換機との間に閉回路を形成する。
【００７７】
一対の第１接続線Ｗ１１，Ｗ１２間の閉結後、ＣＰＵ３４は、モデム４４を介して、ＤＡＡ４２の送信部５５にＦＡＸ送信の準備を指示する（Ｓ１９１０）。
【００７８】
そして、ＣＰＵ３４は、モデム４４を介して、相手先のファックス装置への画像データの送信を送信部５５に指示する（Ｓ１９１１）。
【００７９】
すべての画像データが送信されると、ＣＰＵ３４は、モデム４４を介して、閉結制御部５３に一対の第１接続線Ｗ１１，Ｗ１２間の開放を指示する（Ｓ１９１２）。閉結制御部５３は、開放の指示を受けて、ＤＣループ４１のスイッチをオフし、ＤＣループ４１と交換機との間に形成されている閉回路を開放する。
【００８０】
その後、ＣＰＵ３４は、第１スイッチＳＷ１をオンにして（Ｓ１９１３）、ＦＡＸ送受信処理を終了して、メイン処理に戻る。
【００８１】
＜作用効果＞
この構成によれば、一方の第２接続線Ｗ２１における外付電話接続端子２２とＤＣループ検出部８１との間の接続点Ｎ３１と、一方の第１接続線Ｗ１２における回線接続端子２１と接続点Ｎ１２との間の接続点Ｎ４１との間は、第３接続線Ｗ３１を介して接続されている。また、一対の第２接続線Ｗ２１，Ｗ２２には、一対の第２接続線Ｗ２１，Ｗ２２の導通および切断を切り替える第１スイッチＳＷ１が設けられ、第３接続線Ｗ３１には、第３接続線Ｗ３１の導通および切断を切り替える第２スイッチＳＷ２が設けられている。
【００８２】
回線接続端子２１に通信規格外のＰＢＸやビジネスフォンの主装置の信号線が誤って接続された状態で、ＦＡＸデータの送受信のため、一対の第１接続線Ｗ１１，Ｗ１２間が閉結されると、ＰＢＸやビジネスフォンの主装置とＤＡＡ４２との間に閉回路が形成されることによってＤＡＡ４２に過電流が流れる。すると、ＤＡＡ４２が過電流によるダメージを受けるおそれがある。ＤＡＡ４２が一対の第１接続線Ｗ１１，Ｗ１２間の閉結前に、第１スイッチＳＷ１によって一対の第２接続線Ｗ２１，Ｗ２２を導通させ、第２スイッチＳＷ２によって第３接続線Ｗ３１を導通させると、ＰＢＸやビジネスフォンの主装置との間でＤＡＡ４２を経由しない閉回路が形成される。その際にＤＣループ検出部８１により検出される電流が過電流であることを示した場合、ＣＰＵ３４は、ＤＡＡ４２に一対の第１接続線Ｗ１１，Ｗ１２間を閉結させない。これにより、ＤＡＡ４２に過電流が流れることを抑制できる。
【００８３】
一方、第１スイッチＳＷ１が一対の第２接続線Ｗ２１，Ｗ２２を導通させ、第２スイッチＳＷ２が第３接続線Ｗ３１を導通させた際にＤＣループ検出部８１により検出される電流が過電流であることを示さない場合、一対の第１接続線Ｗ１１，Ｗ１２間が閉結される。一対の第１接続線Ｗ１１，Ｗ１２間が閉結されることにより、ＤＡＡ４２による電話回線２３を介したデータの送受信が可能となる。
【００８４】
ＤＣループ検出部８１は、第２接続線Ｗ２１に介在され、正温度特性サーミスタ８２およびバリスタ８３を並列に接続した並列回路８４と、正温度特性サーミスタ８２を電流が流れている状態でロー信号を検出し、正温度特性サーミスタ８２を電流が流れない状態でハイ信号を検出するＡＳＩＣ３１とを含む。この構成により、チェック処理において、ＡＳＩＣ３１によるロー信号の検出が続いている場合に、回線接続端子２１に電話回線２３が接続されていることを判別でき、ＡＳＩＣ３１が検出する信号がロー信号からハイ信号に切り替わったことに応じて、通信規格外のＰＢＸ等が接続されることによる過電流が流れたことを検出することができる。
【００８５】
チェック処理において、回線接続端子２１の２つの端子２１Ａ，２１ｂ間における回線電圧の有無を検出する回線電圧検出部５１が回線電圧ありを検出している場合において、第１スイッチＳＷ１が一対の第２接続線Ｗ２１，Ｗ２２を導通させている状態で、第２スイッチＳＷ２が第３接続線Ｗ３１を導通させてからの所定時間、ＡＳＩＣ３１がロー信号を検出している場合、フラグがオンされる。一方、チェック処理において、第１スイッチＳＷ１が一対の第２接続線Ｗ２１，Ｗ２２を導通させている状態で、第２スイッチＳＷ２が第３接続線Ｗ３１を導通させた際に、ＡＳＩＣ３１が検出する信号がロー信号からハイ信号に切り替わった場合、第２スイッチＳＷ２により第３接続線Ｗ３１が切断され、フラグがオフにされる。
【００８６】
そして、チェック処理でフラグをオンした場合、ファックス通信による画像データの送信の命令、または、呼出信号を受信したことに応じて、ＤＡＡ４２により一対の第１接続線Ｗ１１，Ｗ１２間が閉結される。これにより、電話回線２３が回線接続端子２１に接続されている場合に、電話回線２３を介したファックス通信が可能となる。
【００８７】
フラグがオンの状態で回線電圧検出部５１が回線電圧なしを検出したことに応じてフラグがオフにされる。その後、回線電圧検出部５１が回線電圧ありを再び検出したことに応じてチェック処理が実行される。これにより、回線接続端子２１に何らかの信号線が接続されたことに応じて、チェック処理を適切に実行することができる。
【００８８】
また、チェック処理でフラグがオフにされた場合、回線電圧検出部５１が回線電圧なしを一旦検出した後に回線電圧ありを検出するまで、チェック処理が実行されない。これにより、チェック処理が無駄に実行されることを抑制できる。
【００８９】
第３接続線Ｗ３１におけるＤＣループ検出部８１と第２スイッチＳＷ２との間には、通信規格に基づいた抵抗値を有する抵抗Ｒが介在されている。これにより、回線接続端子２１に電話回線２３が接続された場合に、ＤＣループ検出部８１に流れる電流を電話回線２３の回線電圧に応じた大きさの電流とすることができる。
【００９０】
＜変形例＞
以上、本発明の実施の形態について説明したが、本発明は、更に他の形態で実施することも可能である。
たとえば、ＡＳＩＣ３１が複数のＣＰＵを備え、複数のＣＰＵが協働して各処理を実行してもよい。
【００９１】
図２では、一対の第２接続線Ｗ２１，Ｗ２２の導通および切断を切り替える第１スイッチＳＷ１が設けられているが、一対の第２接続線Ｗ２１，Ｗ２２の少なくともいずれかに導通および切断を切り替えるスイッチが設けられていればよい。
【００９２】
その他、特許請求の範囲に記載された事項の範囲で種々の設計変更を施すことが可能である。
【００９３】
その他、前述の構成には、特許請求の範囲に記載された事項の範囲で種々の設計変更を施すことが可能である。
【符号の説明】
【００９４】
１：ＭＦＰ
２１：回路接続端子  ２１Ａ，２１Ｂ：端子
２２：外付電話接続端子  ２２Ａ，２２Ｂ：端子  ２３  電話回線
３３：ＲＡＭ  ３４：ＣＰＵ  ４２：ＤＡＡ
５１：回線電圧検出部  ５３：閉結制御部
８１：ＤＣループ検出部  ８２：正温度特性サーミスタ  ８３：バリスタ
８４：並列回路  ８５：フォトカプラ（信号出力回路の一例）
Ｎ１１，Ｎ１２：第１接続点  Ｎ３１：第２接続点
Ｒ：抵抗  ＳＷ１：第１スイッチ  ＳＷ２：第２スイッチ
Ｗ１１，Ｗ１２：第１接続線  Ｗ２１，Ｗ２２：第２接続線  Ｗ３１：第３接続線
【図１】
2018191179.tif 000003
【図２】
2018191179.tif 000004
【図３】
2018191179.tif 000005
【図４】
2018191179.tif 000006
【図５】
2018191179.tif 000007
【図６】
2018191179.tif 000008
【図７】
2018191179.tif 000009